(57)【要約】【課題】視聴者に、データ放送表示画面の更新が行われた箇所を容易に認識させる。【解決手段】放送受信装置１は、信号を受信する放送受信部１１と、信号に含まれるデータ放送の情報を解析することにより、データ放送画面のレイアウト情報とブロックの情報を抽出し、所定の条件を満たすブロックを比較ブロックとして抽出する解析部１２と、記憶部１５と、現在のブロック内の要素と、該ブロックに対応する前回のブロック内の要素とを比較して、表示変更対象ブロックを決定する表示変更決定部１６と、表示の仕方の変更を行う表示変更部１７と、表示部１３と、を備える。表示変更決定部１６は、比較ブロックの要素が静止画像である場合に、比較ブロックの静止画像と、該比較ブロックに対応する記憶部１５に記憶された前回のデータ放送表示画面のブロックの静止画像と、をピクセルごとに比較し、不一致である割合に応じて表示変更対象ブロックを決定する。【選択図】図１
2015115845.tif 000002
【特許請求の範囲】
【請求項１】
デジタル放送により送信された信号を受信する放送受信部と、
前記放送受信部が受信した前記信号に含まれるデータ放送の情報を解析することにより、データ放送画面のレイアウト情報とブロックの情報を抽出し、所定の条件を満たすブロックを比較ブロックとして抽出する解析部と、
前記解析部が抽出したレイアウト情報と、ブロックごとの画面情報と、を記憶する記憶部と、
現在のデータ放送画面のブロック内の要素と、該ブロックに対応する前記記憶部に記憶された前回のデータ放送表示画面のブロック内の要素と、を比較して、表示変更対象ブロックを決定する表示変更決定部と、
前記表示変更決定部が決定した表示変更対象ブロックについて、表示の仕方の変更を行う表示変更部と、
前記表示変更部により変更された表示画面を表示する表示部と、を備え、
前記表示変更決定部は、前記比較ブロックにおいて表示される要素が静止画像である場合に、前記比較ブロックの静止画像と、該比較ブロックに対応する前記記憶部に記憶された前回のデータ放送表示画面のブロックの静止画像と、をピクセルごとに比較し、比較されたピクセルが不一致である割合に応じて表示変更対象ブロックを決定する、
テレビ装置。
【請求項２】
前記表示変更決定部は、
前記比較ブロックにおいて表示される要素が静止画像である場合に、前記比較ブロックの静止画像と、該比較ブロックに対応する前記記憶部に記憶された前回のデータ放送表示画面のブロックの要素である静止画像と、をピクセルごとに比較し、比較されたピクセルが不一致である割合と、比較ブロックの面積と、に基づいて点数を算出し、
前記比較ブロックにおいて表示される要素が文字列である場合に、前記記憶部に記憶された前回のデータ放送表示画面のブロックの文字列と完全一致しない比較ブロックについて、比較ブロックの面積から点数を算出し、
比較ブロックごとに算出された前記点数を比較し、表示変更対象ブロックを決定する、
請求項１に記載のテレビ装置。
【請求項３】
前記表示変更決定部は、前記点数に基づき、
ブロックの面積が大きい比較ブロックを優先して、表示変更対象ブロックに決定する、
請求項２に記載のテレビ装置。
【請求項４】
前記表示変更決定部は、前記点数に基づき、
前記比較ブロックで表示する要素が静止画像である場合に、比較されたピクセルの不一致の割合が高いブロックを優先して、表示変更対象ブロックに決定する、
請求項２又は３に記載のテレビ装置。
【請求項５】
前記解析部は、ブロックで表示する要素が静止画像又は文字列からなるブロックを、比較ブロックとして設定する、
請求項１〜４のいずれか１項に記載のテレビ装置。
【請求項６】
比較判定部をさらに備え、
前記比較判定部は、
前記記憶部から、前記比較ブロックに対応する前回のデータ放送表示画面のブロックの画面情報を取得し、該画面情報を現在の比較ブロックの画面情報と比較し、差異があると判定した比較ブロックを、更新候補ブロックとし、
前記更新候補ブロック数と、前記解析部が設定した比較ブロック数の差および／又は割合を算出し、
前記表示変更決定部は、
前記比較判定部が算出した更新候補ブロック数の、前記比較ブロック数に対する差および／又は割合があらかじめ定めた閾値以上である場合には、いずれの更新候補ブロックも表示変更対象ブロックではないと決定する、
請求項１〜５のいずれか１項に記載のテレビ装置。
【請求項７】
デジタル放送により送信された信号を受信し、
受信した前記信号に含まれるデータ放送の情報を解析して、データ放送画面のレイアウト情報とブロックの情報を抽出し、
所定の条件を満たすブロックを比較ブロックとし、
前記レイアウト情報と、ブロックごとの画面情報と、を記憶し、
現在のデータ放送画面のブロック内の要素と、記憶された該ブロックに対応する前回のデータ放送表示画面のブロック内の要素と、を比較し、
前記比較ブロックで表示する要素が静止画像である場合に、前記比較ブロックの静止画像と、該比較ブロックに対応する記憶されたブロックの静止画像と、をピクセルごとに比較し、
比較されたピクセルが不一致である割合に応じて表示変更対象ブロックを決定し、
前記表示変更対象ブロックについて、表示の仕方を変更し、
表示の仕方が変更された表示画面を表示する、
テレビ装置の制御方法。
【発明の詳細な説明】
【技術分野】
【０００１】
本発明は、テレビ装置およびテレビ装置の制御方法に関する。
【背景技術】
【０００２】
近年、映像や音声による通常のテレビジョン番組に加えて、文字、画像、音声などを組み合わせて構成されるデータ放送が配信されている。データ放送は、典型的には、ＢＭＬ（Broadcasting Markup Language）形式で記述されている。
【０００３】
例えば視聴者は、テレビジョン番組を視聴中に、リモートコントローラを操作することにより、データ放送表示画面に遷移させる。また視聴者は、提示された情報をリモコンで対話的に適宜選択して表示して、所望の情報を観覧することができる。
【０００４】
ここでデータ放送は、気象、ニュース、番組情報などを伝えるため、画像と文字情報との組み合わせであることが多い。またデータ放送では、気象情報やスポーツの速報情報などのように頻繁に更新がかかる情報と、番組情報のように更新頻度が低い情報と、がある。
【０００５】
特許文献１には、データ放送の更新通知を受け取った際に、画面表示の変更が行われた対象エリアがどこであるか判りやすく表示する、表示制御装置が開示されている。
【０００６】
特許文献２には、データ放送で放送されるデータの中から、ユーザが指定したデータを予め登録しておくことにより、そのデータが更新されたか否かを常時監視し、更新された場合に、ユーザにその旨を通知する放送受信装置が開示されている。
【先行技術文献】
【特許文献】
【０００７】
【特許文献１】特開２０１２−１３４６７６号公報
【特許文献２】特開２００５−１９２００７号公報
【発明の概要】
【発明が解決しようとする課題】
【０００８】
現在、一般に利用されているデータ放送表示用のブラウザは、毎回受信したデータ放送の内容を解釈して表示するものであり、前回表示したデータ放送表示画面との差異を検出するような機能は有していない。そのため、視聴者がデータ放送の表示画面を起動した際に、局所的な情報更新がかかっている場合、更新された情報が埋没して、ユーザが更新に気づかず最新の情報を見落としてしまうという場合があった。特許文献１及び特許文献２に開示された発明では、データ放送の更新通知イベントをトリガに表示変更を行い、更新イベントの対象エリアがどこか判り易く表示するものである。しかしながら、更新イベントに関わらず、前回表示したデータ放送表示画面と、今回表示したデータ放送表示画面の差異を表示したいという要望がある。
【０００９】
また特許文献１及び特許文献２は、更新通知をトリガとして、文字情報やデータの内容が変更されていた場合に、内容が更新されたと判定して強調表示を行うものである。しかしながら表示内容の更新が行われた場合に、視聴者は、データ放送表示画面上の画像情報を含むエリアについて、重要度が高く注視する必要がある。
【課題を解決するための手段】
【００１０】
本発明にかかるテレビ装置は、デジタル放送により送信された信号を受信する放送受信部と、前記放送受信部が受信した前記信号に含まれるデータ放送の情報を解析することにより、データ放送画面のレイアウト情報とブロックの情報を抽出し、所定の条件を満たすブロックを比較ブロックとして抽出する解析部と、前記解析部が抽出したレイアウト情報と、ブロックごとの画面情報と、を記憶する記憶部と、現在のデータ放送画面のブロック内の要素と、該ブロックに対応する前記記憶部に記憶された前回のデータ放送表示画面のブロック内の要素と、を比較して、表示変更対象ブロックを決定する表示変更決定部と、前記表示変更決定部が決定した表示変更対象ブロックについて、表示の仕方の変更を行う表示変更部と、前記表示変更部により変更された表示画面を表示する表示部と、を備え、前記表示変更決定部は、前記比較ブロックにおいて表示される要素が静止画像である場合に、前記比較ブロックの静止画像と、該比較ブロックに対応する前記記憶部に記憶された前回のデータ放送表示画面のブロックの静止画像と、をピクセルごとに比較し、比較されたピクセルが不一致である割合に応じて表示変更対象ブロックを決定する。
これにより、画像を含むブロックが更新された場合に、更新されたブロックを強調表示することができる。
【００１１】
また本発明にかかるテレビ装置の制御方法は、デジタル放送により送信された信号を受信し、受信した前記信号に含まれるデータ放送の情報を解析して、データ放送画面のレイアウト情報とブロックの情報を抽出し、所定の条件を満たすブロックを比較ブロックとし、前記レイアウト情報と、ブロックごとの画面情報と、を記憶し、現在のデータ放送画面のブロック内の要素と、記憶された該ブロックに対応する前回のデータ放送表示画面のブロック内の要素と、を比較し、前記比較ブロックで表示する要素が静止画像である場合に、前記比較ブロックの静止画像と、該比較ブロックに対応する前回のデータ放送表示画面のブロックの静止画像と、をピクセルごとに比較し、比較されたピクセルが不一致である割合に応じて表示変更対象ブロックを決定し、前記表示変更対象ブロックについて、表示の仕方を変更し、表示の仕方が変更された表示画面を表示する。
これにより、画像を含むブロックが更新された場合に、更新されたブロックを強調表示することができる。
【発明の効果】
【００１２】
視聴者に、データ放送表示画面の更新が行われた箇所を、容易に認識させる。
【図面の簡単な説明】
【００１３】
【図１】テレビ装置の機能ごとの構成を示した図である。
【図２】データ放送表示画面の一例を示す図である。
【図３】データ放送表示画面のレイアウト情報を示す図である。
【図４】比較判定部による比較の様子を示した図である。
【図５】更新候補ブロックを示す図である。
【図６】放送受信装置の動作フローを示す図である。
【図７】放送受信装置の詳細な動作フローを示す図である。
【図８】データ放送表示画面の一部を強調した状態を示す図である。
【発明を実施するための形態】
【００１４】
実施の形態１
以下、図面を参照して本発明の実施の形態について説明する。
【００１５】
図１は、放送受信装置１の構成を機能ごとに示したブロック図である。放送受信装置１は、放送受信部１１と、解析部１２と、表示部１３と、比較判定部１４と、記憶部１５と、表示変更決定部１６と、表示変更部１７と、を備える。ＣＰＵ（Central Processing Unit）、ＲＡＭ（Random Access Memory）、ＲＯＭ（Read Only Memory）で構成される、いわゆるマイコンによって、解析部１２、比較判定部１４、表示変更決定部１６と、表示変更部１７の機能が実装されても良い。以下では、図１に基づいて説明を行う。
【００１６】
放送受信部１１は、デジタル放送により送られてくるデジタル信号を受信する。典型的には、放送受信部１１は、映像、音声、データ放送情報が多重化された信号を受信する。放送受信部１１は、受信した多重化信号を解析部１２に出力する。
【００１７】
解析部１２は、放送受信部１１から入力した、多重化信号を分離してデコードする。解析部１２は、受信信号を分離して生成した映像情報を表示部１３に出力し、音声情報をスピーカー（図示せず）に出力する。また解析部１２は、受信信号の分離により生成されたＢＭＬ文書を用い、データ放送表示画面を生成する。例えば、解析部１２はＢＭＬ文書を解析し、データ放送表示画面の表示をさせるための表示コードを生成して、表示部１３と比較判定部１４に出力する。図２は、解析部１２が生成したデータ放送表示画面の一例である。
【００１８】
また典型的には、解析部１２は、ＢＭＬ文書を記憶するＢＭＬ文書記憶部１２１を有している。解析部１２は、ＢＭＬ文書に変更があった場合にＢＭＬ文書記憶部１２１を更新してＢＭＬ文書の解析を行い、表示コードを生成して表示部１３と比較判定部１４に出力する。なお、ＢＭＬ文書記憶部１２１に記憶されたＢＭＬ文書の更新のタイミングは、視聴者の操作によりデータ放送表示画面の遷移が発生したときや、放送局からの更新信号を受信したときである。
【００１９】
さらに解析部１２は、ＢＭＬ文書からレイアウト情報を解析する。具体的には、解析部１２は、ＢＭＬ文書からレイアウト情報を抽出し、レイアウト情報からブロック要素を抜き出し、そのブロック要素の中から、ブロック内に文字データや画像データを含むブロックのみを抽出する。この抽出されたブロックを、比較ブロックとする。図３は、解析部１２がＢＭＬ文書を解析し、レイアウト情報を抽出した状態を示す図である。ここで図３は、レイアウト内において、各ブロックに１〜１０の番号が割り振られた状態を示している。解析部１２は、レイアウト情報を、比較判定部１４と記憶部１５に出力する。また解析部１２は、どのブロックが比較ブロックであるかを、比較判定部１４に出力する。例えば解析部１２は、比較ブロックを決定し、該比較ブロックの大きさを示す矩形情報、および画面上の座標を用いた表示位置情報を、比較判定部１４に出力する。
【００２０】
表示部１３は、放送受信装置１に設けられたディスプレイである。典型的には表示部１３は、ＢＭＬブラウザを有しており、解析部１２により生成されたデータ放送表示画面を表示する。また表示部１３は、表示変更決定部１６により、特定のブロックの強調表示を行うことが決定された場合には、表示変更部１７によって変更されたデータ放送表示画面を表示する。
【００２１】
比較判定部１４は、現在のデータ放送表示画面の画面情報と、記憶部１５に記憶した前回のデータ放送表示画面の画面情報を比較する。より具体的には、比較判定部１４は、解析部１２から入力したレイアウト情報及び比較ブロックの情報に基づいて、記憶部１５に記憶された前回のデータ放送表示画面における同一位置のブロックの画面情報との比較を行う。図４は、比較判定部１４が、９番のブロックを比較する状態を示した図である。このとき比較判定部１４は、比較ブロック内に含まれる要素が静止画像（ＰＮＧ、ＪＰＥＧ、ＭＮＧ等）である場合には、ピクセル単位で画像比較を行う。具体的には、比較判定部１４は、比較ブロック内の要素が静止画像である場合には、あらかじめ定めた所定の閾値以上のピクセルが一致していれば一致するブロックであるとし、所定の閾値より小さければ一致しないブロックであると判定する。例えば所定の閾値とは、９０％である。
【００２２】
また比較判定部１４は、比較ブロック内の要素が文字である場合には、完全一致する場合に一致するブロックであるとし、完全一致しない場合には一致しないブロックであると判定する。
【００２３】
比較判定部１４は、一致しないと判定したブロックを更新候補ブロックとして設定し、該ブロックに関する情報を表示対象決定部１６に出力する。図５は、ブロックのうち、１、２、３、４、７、９番が更新候補ブロックとして設定された状態を示している。
【００２４】
なお比較判定部１４は、画像の比較を行う際には、最終的に表示部１３に画像として表示される画像と、前回の画像を比較できれば良い。例えば、比較判定部１４で比較を行う画像データは、表示部１３に表示される画像が、前回表示された画像と近似しているか否かが判定できればよく、比較する画像ファイルは圧縮された画像ファイル等であってもよい。
【００２５】
記憶部１５は、解析部１２により解析されたレイアウト情報と、レイアウト内のブロックの内容を記憶する。例えば記憶部１５は、解析部１２で解析されたレイアウトのブロック内の要素が文字情報のみであれば文字情報を記憶し、文字以外の要素が含まれる場合にはピクセル単位で比較が可能な画像（ＰＮＧ、ＪＰＥＧ、ＭＮＧ）等の形式で記憶するのが望ましい。言い換えると記憶部１５は、データ放送表示画面を視聴者が見たときの、各ブロックの要素を、それぞれキャッシュする。
【００２６】
表示変更決定部１６は、比較判定部１４により設定された更新候補ブロックから、強調表示を行う強調ブロックの絞り込みを行う。具体的には、表示変更決定部１６は、比較判定部１４により設定された更新候補ブロック数と、比較を行う総ブロック数の差を算出する。表示変更決定部１６は、算出したブロック数の差が所定の閾値より大きければ、多くのブロックが更新対象となってしまうため、強調表示を行わないよう決定する。また表示変更決定部１６は、算出したブロック数の差が所定の閾値より小さければ、次に、どのブロックを強調表示するかを決定する。
【００２７】
具体的には、表示変更決定部１６は、更新候補ブロックごとに一致度を算出するとともに、更新候補ブロックの面積と画面全体の面積の割合を用いて、更新候補ブロックごとの点数化を行う。表示変更決定部１６は、点数の高い更新候補ブロックを、表示変更対象ブロックとして決定する。表示変更決定部１６は、表示変更対象ブロックとして決定したブロックの情報を、表示変更部１７に出力する。
【００２８】
表示変更部１７は、表示変更決定部１６により決定された変更対象ブロックの情報に基づき、表示部１３で表示されるデータ放送表示画面を変更する。例えば表示変更部１７は、表示部１３に入力されるＢＭＬ文書から生成されるデータ変更表示画面の一部を変更する。例えば、表示変更部１７は、変更対象ブロック以外の領域の輝度をさげることにより、変更対象ブロックが目立つように、データ放送表示画面の変更を行う。
【００２９】
次に、放送受信装置１の動作について説明する。図６は、放送受信装置１の動作フローを示すフローチャートである。
【００３０】
最初に、放送受信部１１が、放送により送られてくる信号を受信する（ステップＳ１）。ここで放送受信部１１は、多重化された信号の一部として、データ放送の情報を受信する。
【００３１】
解析部１２は、ＢＭＬ文書を解析し、ＢＭＬ文書内に記載されたレイアウト情報に基づいて、ブロックの抽出を行う（ステップＳ２）。より具体的には、解析部１２は、ＢＭＬ文書からレイアウト情報を抽出し、レイアウト情報からブロック要素（body要素、div要素、p要素、object要素、input要素）を抜き出す。これにより、図３におけるブロック１〜１１の枠が抜き出される。ここで解析部１２は、テレビ放送が表示されている１１番の枠を除外したい。したがって解析部１２は、抜き出したブロックから、ブロック内に文字データや画像データ（ＰＮＧデータ、ＪＰＥＧデータ、ＭＮＧデータ）を含むブロックのみを抽出する。このように抽出したブロックを、比較ブロックと名付ける。
【００３２】
解析部１２は、ブロック内の情報を取得する（ステップＳ３）。具体的には、解析部１２はブロック内の、文字データや画像データを取得する。解析部１２は、比較ブロックの矩形情報としてブロックのサイズや、ブロックの位置の情報と、抽出したデータを比較判定部１４に出力する。
【００３３】
比較判定部１４は、比較ブロックに対応する、前回のデータ表示画面のブロックの情報を記憶部１５から取得する（ステップＳ４）。より具体的には、比較判定部１４は、解析部１２から入力された比較ブロックのサイズや位置の情報に基づいて、記憶部１５に記憶された前回のデータ表示画面から、対応するブロックを抽出する。
【００３４】
比較判定部１４は、現在の比較ブロックと、該比較ブロックに対応する前回のブロックとを比較し、差異があるか否かを判定する（ステップＳ５）。ここで比較判定部１４は、比較ブロック内の要素が静止画像である場合には、あらかじめ定めた所定の閾値以上のピクセルが一致していれば一致するブロックであり、閾値未満であれば一致しないブロックであるとする。また比較判定部１４は、比較ブロック内の要素が文字である場合には、完全一致する場合に一致するブロックであり、完全一致しない場合に一致しないブロックであるとする。比較判定部１４は、一致しないとブロックであると判定したブロックを、更新候補ブロックとして設定する。
【００３５】
比較判定部１４は、全ての比較ブロックについて更新候補ブロックとするか否かの判定が終了しているかを判定する（ステップＳ６）。全ての比較ブロックについて、更新候補ブロックとするか否かの判定が終了していれば（ステップＳ６でＹｅｓ）、ステップＳ７に進む。全ての比較ブロックについて、更新候補ブロックとするか否かの判定が終了していなければ（ステップＳ６でＮｏ）、ステップＳ３に戻り、処理を繰り返す。
【００３６】
表示変更決定部１６は、更新候補ブロックから絞り込みを行い、表示変更対象ブロックを決定する（ステップＳ７）。ここで図７は、表示変更決定部１６が、表示変更対象ブロックを決定する、詳細なフローチャートである。
【００３７】
表示変更決定部１６は、更新候補ブロックの数と、比較を行う総ブロック数の差を算出する（ステップＳ１１）。なお表示変更決定部１６は、比較ブロック数に対する、更新候補ブロック数の割合を算出してもよい。ここで、表示変更決定部１６は、算出した値を値Ａとする。
【００３８】
表示変更決定部１６は、値Ａがあらかじめ定めた閾値αより小さいか否かを判定する（ステップＳ１２）。値Ａが閾値αより大きく、すなわち、更新候補ブロック数が少ない場合には（ステップＳ１２でＮｏ）、ステップＳ１３に進む。値Ａが閾値αより小さく、更新ブロック数が多い場合には（ステップＳ１２でＹｅｓ）、ステップＳ２０に進む。
【００３９】
表示変更決定部１６は、画面全体の面積に対する、注目する更新候補ブロックの矩形面積の割合を算出する（ステップＳ１３）。ここで表示変更決定部１６は、算出した割合の値を値Ｂとする。すなわち、面積が大きいブロックほど、値Ｂの値は大きくなる。
【００４０】
表示変更決定部１６は、更新候補ブロックのブロック内要素が文字データであるか、画像データであるかを判定する（ステップＳ１４）。ブロック内要素が文字データであれば、ステップＳ１５に進む。ブロック内要素が画像データであれば、ステップＳ１６に進む。
【００４１】
表示変更決定部１６は、ブロック内要素が文字情報であれば（ステップＳ１４でＹｅｓ）、値Ｃに、あらかじめ定めた固定値を入力する（ステップＳ１５）。その後、ステップＳ１７に進む。
【００４２】
表示変更決定部１６は、ブロック内要素が画像情報である場合には（ステップＳ１４でＮｏ）、更新候補ブロック内の画像と、対応するブロックの前回の画像との一致度を算出する（ステップＳ１６）。表示変更決定部１６は、算出した一致度に応じた値を、値Ｃとして記憶する。典型的には表示変更決定部１６は、一致度が低い場合に、値Ｃを大きな値とする。その後、ステップＳ１７に進む。
【００４３】
表示変更決定部１６は、更新候補ブロックを表示変更対象ブロックとするか否かを決定するための、点数の算出を行う（ステップＳ１７）。より具体的には、表示変更決定部１６は、注目する更新候補ブロックについて、ステップＳ１３で算出した値Ｂと、ステップＳ１６、ステップＳ１７で算出した値Ｃを用いて、β×Ｂ＋γ×Ｃを計算することにより、点数の算出を行う。なおβ及びγは、任意に定めた値であり、データ表示画面におけるブロックの大きさと、前回の対応するブロックからの変化の度合いのどちらに重み付けを行うかにより、自由に変更できることが望ましい。
【００４４】
表示変更決定部１６は、全ての更新候補ブロックについて、点数の算出が終了したか否かを判定する（ステップＳ１８）。全ての更新候補ブロックについて、点数の算出が終了していれば（ステップＳ１８でＹｅｓ）、ステップＳ１９に進む。全ての更新候補ブロックについて、点数の算出が終了していなければ（ステップＳ１８でＮｏ）、ステップＳ１３に戻り、次の更新候補ブロックについて処理を繰り返す。
【００４５】
表示変更決定部１６は、ステップＳ１８で算出したブロックのうち、点数が上位のブロックを表示変更対象ブロックに決定する（ステップＳ１９）。その後、ステップＳ８に進む。
【００４６】
表示変更決定部１６は、更新候補ブロック数が多いと判定された場合には（ステップＳ１２でＹｅｓ）、表示変更対象ブロック数を０とする（ステップＳ２０）。すなわち、表示変更決定部１６は、例えば現在のデータ放送表示画面が、前回のデータ放送表示画面から大幅に変更されていた場合に、表示変更対象ブロックを設定しないようにする。これは、該ブロックを表示変更対象ブロックとした場合、多くのブロックが強調表示の対象となってしまい、かえって視聴者にとってわかりにくくなるためである。その後ステップＳ８に進む。
【００４７】
表示変更部１７は、表示更新対象ブロックに設定されたブロックについて、表示変更の処理を行う（ステップＳ８）。例えば表示変更部１７は、表示部１３においてデータ放送表示画面を表示させるための、表示コードの変更を行う。これにより、表示変更部１７では、表示更新対象ブロックに設定されたブロックを強調表示させる変更を行う。表示部１３は、変更された表示コードに基づいて、ブロックの一部が強調されたデータ放送表示画面を表示する。図８は、表示部１３に、強調表示が行われた画面が表示される場合の一例である。なお表示変更部１７は、変更対象ブロックだけを矩形で囲んで強調表示することのほか、変更対象ブロック以外の箇所を透過状態、または非表示となるよう変更しても良い。
【００４８】
これにより、現在のデータ放送画面において、前回のデータ放送表示画面から更新された箇所を強調表示することができる。具体的には、記憶部に前回のデータ放送表示画面を記憶しておき、現在のデータ放送表示画面との差分検出により、更新箇所を抽出し、強調表示することができる。これにより、例えば一定の周期ごとに放送されている番組が新番組に変更された場合などによって、データ放送表示画面の一部が変更された場合に、視聴者はデータ放送表示画面上の更新箇所を、容易に認識することができる。
【００４９】
また放送受信装置は、比較ブロックのうち、文字情報については完全しないブロック、画像情報については所定の閾値未満のブロックを一致しないブロックとして更新候補ブロックとし、更新候補ブロックから表示変更対象ブロックを絞り込む。これにより放送受信装置は、適切な絞り込みを行い、更新があったことを強調すべきブロックを抽出することができる。
【００５０】
また表示変更決定部１６では、面積が大きく、前回の表示画面と比較して変更された量が大きいブロックほど、表示変更対象ブロックとされやすくなるよう、重み付けされている。これにより、より大切な更新情報が記載されている可能性の高いブロックを抽出することができる。
【００５１】
また解析部１２は、比較判定部１４による比較判定を行わない場合には、比較ブロックの情報を、表示変更決定部１６に出力する。この場合、表示変更決定部１６は、解析部１２から入力した比較ブロックのそれぞれから、強調表示を行う強調ブロックの絞り込みを行う。これにより、画面内の多くのブロックが更新対象となるか否かについては判定せず、現在のブロックと対応する前回の表示画面のブロックの一致度、及びブロックの面積に基づいて、表示の変更を行うか否かを決定することが可能である。
【００５２】
なお、本発明は上記実施の形態に限られたものではなく、趣旨を逸脱しない範囲で適宜変更することが可能である。例えば、データ放送に関し、ＢＭＬ文書を用いるものとして記載したが、ＢＭＬ文書以外の言語により記載されるものであっても良い。また例えば、表示更新対象ブロックは、文字情報のみで構成されている場合には、文字のフォントや色を変えるなどの強調方法であっても良く、強調の方法は問わない。
【符号の説明】
【００５３】
１            放送受信装置
１１            放送受信部
１２            解析部
１２１            ＢＭＬ文書記憶部
１３            表示部
１４            比較判定部
１５            記憶部
１６            表示変更決定部
１７            表示変更部
【図１】
2015115845.tif 000003
【図２】
2015115845.tif 000004
【図３】
2015115845.tif 000005
【図４】
2015115845.tif 000006
【図５】
2015115845.tif 000007
【図６】
2015115845.tif 000008
【図７】
2015115845.tif 000009
【図８】
2015115845.tif 000010